(57)【特許請求の範囲】
【請求項１】
支持フレームの前方にパラボラ状の反射体を配設し、同反射体の前部に保護カバーを着脱自在に配設する一方、前記支持フレームに支柱を立設し、同支柱を支柱カバーで被覆し、同支柱カバーの先端外周部に略リング状のヒータを配設してなる暖房機において、
支柱カバーの先端外周部にヒータを着脱自在に配設するとともに、ヒータに電源を供給するための電線とヒータの電極端子とを接離自在として、前方側からヒータを交換できるべく構成したことを特徴とする暖房機。
【請求項２】
前記ヒータの前方にヒータカバーを配設するとともに、同ヒータカバーは、保護カバーに一体的に装着したことを特徴とする請求項１記載の暖房機。
【請求項３】
前記電線とヒータの電極端子との接続部にコネクタを設け、同コネクタは、前方側に開口を形成して、同開口にて電線とヒータの電極端子とを接離できるべく構成したことを特徴とする請求項１又は請求項２記載の暖房機。
【請求項４】
前記ヒータは、支柱で支持すべく構成したことを特徴とする請求項１〜請求項３のいずれかに記載の暖房機。
【発明の詳細な説明】
【０００１】
【発明の属する技術分野】
本発明は、暖房機に関するものである。
【０００２】
【従来の技術】
近年、瞬時に室内の暖房を行うことができる暖房機として、ハロゲンランプをヒータとして用いた概略扇風機型の暖房機が注目されている。
【０００３】
かかる暖房機は、基台の上部に暖房装置を首振り自在に連結しており、同暖房装置は、支持フレームの前方にパラボラ状の反射体を配設し、同反射体の前部に保護カバーを着脱自在に配設する一方、前記支持フレームに支柱を立設し、同支柱を支柱カバーで被覆し、同支柱カバーの先端外周部に略リング状のヒータを配設ていた。
【０００４】
しかも、ヒータは、支柱カバーの先端外周部に取付けた左右一対のヒータ支持体に取付けられており、また、ヒータに電源を供給するための電線とヒータの電極端子とを反射体の後方位置で接続していた。
【０００５】
また、ヒータは、ヒータカバーで前方を被覆されており、同ヒータカバーは、支柱カバーの先端部に取付けられていた。
【０００６】
【発明が解決しようとする課題】
ところが、上記従来の暖房機にあっては、ヒータの寿命が約３０００時間であることから、通常の使用によっても約２〜３年でヒータを交換しなければならなかった。
【０００７】
それにもかかわらず、従来の暖房機にあっては、支柱カバーの先端外周部に取付けたヒータ支持体にヒータを取付けるとともに、ヒータに電源を供給するための電線とヒータの電極端子とを反射体の後方位置で接続しており、さらに、支柱カバーの先端部にヒータカバーを取付けていたため、ヒータの交換作業が煩雑であり、ヒータの交換は多大な労力や時間や専用工具を要するものであり、消費者自身でヒータを交換することは非常に困難であり殆ど不可能に近かった。
【０００８】
そこで、本発明は、消費者自身でヒータを容易に交換することができる構造の暖房機を提供することを目的としたものである。
【０００９】
【課題を解決するための手段】
すなわち、本発明では、支持フレームの前方にパラボラ状の反射体を配設し、同反射体の前部に保護カバーを着脱自在に配設する一方、前記支持フレームに支柱を立設し、同支柱を支柱カバーで被覆し、同支柱カバーの先端外周部に略リング状のヒータを配設してなる暖房機において、支柱カバーの先端外周部にヒータを着脱自在に配設するとともに、ヒータに電源を供給するための電線とヒータの電極端子とを接離自在として、前方側からヒータを交換できるように構成した。
【００１０】
また、前記ヒータの前方にヒータカバーを配設するとともに、同ヒータカバーは、保護カバーに一体的に装着することにした。
【００１１】
また、前記電線とヒータの電極端子との接続部にコネクタを設け、同コネクタは、前方側に開口を形成して、同開口にて電線とヒータの電極端子とを接離できるように構成した。
【００１２】
また、前記ヒータは、支柱で支持するように構成した。
【００１３】
【発明の実施の形態】
本発明に係る暖房機は、基台の上部に暖房装置を上下方向及び左右方向に向けて首振り自在に連設したものである。
【００１４】
暖房装置は、支持フレームの前方にパラボラ状の反射体を配設し、同反射体の前部に保護カバーを着脱自在に配設する一方、前記支持フレームに支柱を立設し、同支柱を支柱カバーで被覆し、同支柱カバーの先端外周部に略リング状のヒータを配設したものである。
【００１５】
しかも、支柱カバーの先端外周部にヒータを着脱自在に配設するとともに、ヒータに電源を供給するための電線とヒータの電極端子とを接離自在としたものである。
【００１６】
そのため、暖房機の前方側からヒータを交換することができ、ヒータが寿命となった場合でも消費者が自らヒータを容易に交換することができる。
【００１７】
特に、ヒータの前方にヒータカバーを配設するとともに、同ヒータカバーを保護カバーに一体的に装着した場合には、保護カバーを外すだけでヒータが外部に露出することになり、保護カバーと別個にヒータカバーを外す作業が必要なくなり、ヒータの交換作業を簡便なものとすることができる。
【００１８】
また、電線とヒータの電極端子との接続部にコネクタを設け、同コネクタは、前方側に開口を形成して、同開口にて電線とヒータの電極端子とを接離できるようにした場合には、暖房機の前方側からコネクタの切断・接続作業を行うことができ、これによっても、ヒータの交換作業を簡便なものとすることができる。
【００１９】
また、ヒータを支柱で支持するようにした場合には、ヒータの交換作業を繰り返し行ってもヒータが支柱で強固に支持され、ヒータのぐらつきを未然に防止することができる。
【００２０】
【実施例】
以下に、本発明の具体的な実施例について図面を参照しながら説明する。
【００２１】
本発明に係る暖房機１は、図１に示すように、基台２の上部に暖房装置３を上下方向及び左右方向に向けて首振り自在に載設したものである。
【００２２】
基台２は、図１に示すように、円板状の台座部４と同台座部４の略中央に立設した支柱部５とからなり、同支柱部５の下端部に各種の操作スイッチ６を配設する一方、支柱部５の上端部に暖房装置３を取付けている。
【００２３】
暖房装置３は、図１〜図３に示すように、側面視略コ字状の支持フレーム７の前側舌片８に後部カバー９を取付け、同後部カバー９の前方内側にパラボラ状の反射体１０を取付けるとともに、後部カバー９の前部に網状の保護カバー１１を取付けており、同保護カバー１１の裏面中央部には、ヒータカバー１２をブラケット１３を介して取付けている。図中、２９はカバー、３０は化粧板、３１は連結リングである。
【００２４】
また、暖房装置３は、支持フレーム７の前側舌片８の中央部に支柱１５を前方に向けて立設し、同支柱１５を中空截頭円錐体状の支柱カバー１６で被覆しており、同支柱カバー１６は、基端部を反射体１０に連設する一方、先端外周部に略リング状のヒータ（ハロゲンランプ）１７を配設している。
【００２５】
かかるヒータ１７は、図３及び図４に示すように、支柱カバー１６の先端外周部に着脱自在に配設されている。
【００２６】
すなわち、支柱１５の先端に略半円弧状の支持板１８を取付け、同支持板１８に左右一対のヒータ支持体１９，１９の基端部を取付け、同ヒータ支持体１９の中途部を後方に向けて伸延し、ヒータ支持体１９の先端にフック２０を形成し、同フック２０でヒータ１７の中途部を着脱自在に係止している。
【００２７】
また、ヒータ１７は、端部に電極端子２１，２１を形成しており、同電極端子２１，２１とヒータ１７に電源を供給するための電線２２，２２とを接離自在に接続している。
【００２８】
すなわち、支柱１５の先端にコネクタ支持板２３の上部を取付け、同コネクタ支持板２３の下側前部に絶縁体からなるコネクタ２４を取付け、同コネクタ２４の上部に電線２２，２２を着脱可能に取付ける一方、コネクタ２４の下部にヒータ１７の電極端子２１，２１を着脱可能に取付けている。なお、電線２２，２２は、基台２から支柱カバー１６の内部に配線され、さらには、コネクタ支持板２３の上部に形成した左右一対の挿通孔２５，２５に挿通されている。
【００２９】
コネクタ２４は、図３及び図４に示すように、前側部に前方を開放した左右一対の溝２６，２６を形成し、各溝２６に電極板２７を取付けており、各電極板２７の上端部に電線２２の端部を着脱可能にビス止めする一方、各電極板２７の下端部に側面視略コ字状の電極端子２１を着脱可能に狭着している。図中、２８はコネクタカバーである。なお、コネクタ２４及びヒータ１７の前方側は、ヒータカバー１２で覆われており、暖房機１の外部からヒータ１７やコネクタ２４を直接目視できないようにしている。
【００３０】
暖房機１は、上記のように構成しており、ヒータ１７を交換する場合には、以下のようにして行う。
【００３１】
まず、保護カバー１１を取外す。これにより、ヒータカバー１２も保護カバー１１と一体的に取外され、ヒータ１７及びコネクタ２４が前方に露出される。
【００３２】
次に、コネクタ２４の電極板２７，２７の下端部からヒータ１７の電極端子２１，２１を下方に向けて引き抜く。
【００３３】
次に、ヒータ支持体１９のフック２０からヒータ１７を取外す。これにより、暖房機１からヒータ１７を取外すことができる。
【００３４】
次に、ヒータ支持体１９のフック２０に新しいヒータ１７を取付け、ヒータ１７の電極端子２１，２１をコネクタ２４の電極板２７，２７の下端部に狭着し、最後に、保護カバー１１を取付ける。
【００３５】
以上の作業を行うことによって、暖房機１のヒータ１７を交換することができる。
【００３６】
上記したように、本実施例では、支柱カバー１６の先端外周部にヒータ１７を着脱自在に配設するとともに、ヒータ１７に電源を供給するための電線２２，２２とヒータ１７の電極端子２１，２１とを接離自在としている。
【００３７】
そのため、暖房機１の前方側からヒータ１７を交換することができ、ヒータ１７が寿命となった場合でも消費者が自らヒータ１７を容易に交換することができる。
【００３８】
また、ヒータ１７の前方にヒータカバー１２を配設するとともに、同ヒータカバー１２を保護カバー１１に一体的に装着しているため、保護カバー１１を外すだけでヒータ１７が外部に露出することになり、保護カバー１１と別個にヒータカバー１２を外す作業が必要なくなり、ヒータ１７の交換作業をより一層簡便なものとすることができる。
【００３９】
また、電線２２，２２とヒータ１７の電極端子２１，２１との接続部にコネクタ２４を設けるとともに、同コネクタ２４の前方側に開口を形成して、同開口にて電線２２，２２、とヒータ１７の電極端子２１，２１とを接離できるようにしているため、暖房機１の前方側からコネクタ２４の切断・接続作業を行うことができ、これによっても、ヒータ１の交換作業を簡便なものとすることができる。
【００４０】
また、支柱１５の先端にヒータ支持体１９を取付けるとともに、同ヒータ支持体１９にヒータ１７を係止することによって、ヒータ１７を支柱１５で支持するようにしているため、ヒータ１７の交換作業を繰り返し行ってもヒータ１７が支柱１５で強固に支持され、ヒータ１７のぐらつきを未然に防止することができる。
【００４１】
【発明の効果】
本発明は、以上に説明したような形態で実施され、以下に記載されるような効果を奏する。
【００４２】
すなわち、請求項１に係る本発明では、支柱カバーの先端外周部にヒータを着脱自在に配設するとともに、ヒータに電源を供給するための電線とヒータの電極端子とを接離自在としているため、暖房機の前方側からヒータを交換することができ、ヒータが寿命となった場合でも消費者が自らヒータを容易に交換することができる。
【００４３】
また、請求項２に係る本発明では、前記ヒータの前方にヒータカバーを配設するとともに、同ヒータカバーを保護カバーに一体的に装着しているため、保護カバーを外すだけでヒータが外部に露出することになり、保護カバーと別個にヒータカバーを外す作業が必要なくなり、ヒータの交換作業を簡便なものとすることができる。
【００４４】
また、請求項３に係る本発明では、前記電線とヒータの電極端子との接続部にコネクタを設け、同コネクタは、前方側に開口を形成して、同開口にて電線とヒータの電極端子とを接離できるようにしているため、暖房機の前方側からコネクタの切断・接続作業を行うことができ、これによっても、ヒータの交換作業を簡便なものとすることができる。
【００４５】
また、請求項４に係る本発明では、前記ヒータを支柱で支持するようにしているため、ヒータの交換作業を繰り返し行ってもヒータが支柱で強固に支持され、ヒータのぐらつきを未然に防止することができる。
【図面の簡単な説明】
【図１】本発明に係る暖房機を示す斜視図。
【図２】同分解斜視図。
【図３】同断面側面図。
【図４】コネクタを示す正面図。
【符号の説明】
１  暖房機
２  基台
３  暖房装置
１０  反射体
１１  保護カバー
１２  ヒータカバー
１５  支柱
１６  支柱カバー
１７  ヒータ
１９  ヒータ支持体
２１  電極端子
２２  電線
２４  コネクタ
２６  溝
２７  電極板
【図１】
0003586257.tif 000002
【図２】
0003586257.tif 000003
【図３】
0003586257.tif 000004
【図４】
0003586257.tif 000005